(57)【要約】 【課題】乗りかごの運転待機時、安価な費用でかご内の快適な温度環境を確保し、利用客が乗りかごを快適に利用可能とすることにある。【解決手段】実施の形態によれば、乗りかご内に利用客が乗っていない状態が所定時間経過したとき、乗りかご内のファン８を停止させた状態で運転待機中に入るエレベータにおいて、乗りかご４内に設けられた温度センサ９−１，９−２と、かご呼びや乗場呼びによる呼び登録に基づいて乗りかご４を通常運転モードに従って運行制御を行うエレベータ制御盤２０とを有し、このエレベータ制御盤２０は、運転待機中となったとき、かご換気運転モードのもとに温度センサで計測されるかご内温度が設定温度を超えたときにエレベータドアを開けてファンを回転動作させてかご内換気を実施するかご換気運転制御部２４を備えたエレベータのかご換気制御装置である。【選択図】図３
2013170032.tif 000002
【特許請求の範囲】
【請求項１】
ある階で乗りかご内に利用客が乗っていない状態が所定時間経過したとき、当該乗りかご内のファンを停止させた状態で運転待機中となるエレベータにおいて、
乗りかご内に設けられた少なくとも１個の温度センサと、かご呼びや乗場呼びによる呼び登録に基づいて前記乗りかごを通常運転モードに従って運行制御を行うエレベータ制御盤とを有し、
前記エレベータ制御盤は、前記運転待機中となったとき、かご換気運転モードのもとに前記温度センサで計測されたかご内温度が予め定める設定温度を超えたときにエレベータドアを開けて前記ファンを回転動作させてかご内換気を実施するかご換気運転制御部を備えたことを特徴とするエレベータのかご換気制御装置。
【請求項２】
前記かご換気運転制御部は、前記運転待機中に前記温度センサで計測されるかご内温度が予め定める第１の設定温度を超え、かつ、前記かご呼びや乗場呼びによる呼び登録無しの状態であるかの換気条件を判断する換気動作必要判断手段と、前記換気条件を満たす状態にあるとき、エレベータドアを開けて前記乗りかご内に設置される前記ファンを回転動作させて前記乗りかご内を換気するかご換気制御手段と、乗りかご内の換気中に前記温度センサで計測されたかご内温度が第２の設定温度以下か、あるいは前記第１の設定温度を超えているが前記呼び登録有りのとき、前記ファンの回転動作を停止させて前記エレベータドアを閉じ前記通常運転モードに移行するかご換気停止手段とを設けたことを特徴とする請求項１に記載のエレベータのかご換気制御装置。
【請求項３】
請求項２に記載のエレベータのかご換気制御装置において、
各階の乗場に設置される乗場表示部と、前記かご換気運転制御部として、前記かご換気制御手段によって前記乗りかご内が換気中のとき、前記乗場表示部に換気運転中であることを表示する換気状態表示手段とをさらに設けたことを特徴とするエレベータのかご換気制御装置。
【請求項４】
前記乗りかご内に複数の温度センサが設置されている場合、前記かご内温度としては、当該複数の温度センサで計測される計測温度の平均温度または何れかの温度センサのうち最も高い計測温度を用いることを特徴とする請求項１ないし請求項３の何れか一項に記載のエレベータのかご換気制御装置。
【請求項５】
前記第１の設定温度及び前記第２の設定温度は、同一の設定温度、または互いに異なる設定温度を用いることを特徴とする請求項２または請求項３に記載のエレベータのかご換気制御装置。
【発明の詳細な説明】
【技術分野】
【０００１】
本発明の実施の形態は、エレベータのかご換気制御装置に関する。
【背景技術】
【０００２】
一般に、エレベータは、かご呼びや乗場呼びによる呼び登録の階に到着し利用客を降ろした後、乗りかご内に利用客が乗っていない場合、エレベータドアを閉じ、乗りかご内のファンを停止させて運転待機（運転待ち）の状態に入る。
【０００３】
そのため、夏場の暑い時期にエレベータドアを閉じて運転待機の状態に入ると、乗りかご内の温度が高くなったり、蒸し暑い状態となり、利用客が乗りかごに乗った際に不快感を抱くことが多い。
【０００４】
また、利用客から乗りかご内の蒸し暑さ等の苦情があっても、建物の監視責任者からは改造費用を極力抑えて欲しいとの要望があり、簡単に改善策を講じることが難しい状況にあった。
【先行技術文献】
【特許文献】
【０００５】
【特許文献１】特開平６−２２７７５７号公報
【発明の概要】
【発明が解決しようとする課題】
【０００６】
本発明が解決しようとする課題は、エレベータの運転待機時、乗りかご内の快適な温度環境を確保し、利用客が乗りかごを快適に利用可能とするエレベータのかご換気制御装置を提供するものである。
【課題を解決するための手段】
【０００７】
上記課題を解決するために、実施の形態に係るエレベータのかご換気制御装置は、ある階で乗りかご内に利用客が乗っていない状態が所定時間経過したとき、乗りかご内のファンを停止させた状態で運転待機中となるエレベータにおいて、乗りかご内に設置された温度センサと、かご呼びや乗場呼びによる呼び登録に基づいて乗りかごを通常運転モードに従って運行制御を行うエレベータ制御盤とを有し、
前記エレベータ制御盤は、前記運転待機中となったとき、かご換気運転モードのもとに前記温度センサで計測されるかご内温度と予め定める設定温度とを比較し、かご内温度が設定温度を超えたときにエレベータドアを開けて前記ファンを回転動作させてかご内換気を実施するかご換気運転制御部を備えた構成である。
【図面の簡単な説明】
【０００８】
【図１】実施の形態に係るかご換気制御装置を備えたエレベータの概略構成図。
【図２】乗りかご内の各種機器の配置状態の一例を説明する図。
【図３】実施の形態に係るかご換気制御装置の主要な構成部分を概略的に示す図。
【図４】図３のかご換気運転制御部を示す機能ブロック図。
【図５】従来の一般的な通常運転モードによる運行制御の処理の一例を説明するフロー図。
【図６】図３のかご換気運転制御部のかご換気運転モードによる処理の一例を説明するフロー図。
【発明を実施するための形態】
【０００９】
以下、実施の形態について、図面を参照して説明する。  
図１は実施の形態に係るかご換気制御装置を備えたエレベータの概略構成図、図２は乗りかご内の各種機器の配置状態の一例を示す図である。
【００１０】
エレベータは、昇降路１内の適宜な場所に巻上機２が設置され、この巻上機２にはメインロープ３が掛け渡されている。メインロープ３の一端部側は乗りかご４上部に設置されるかごシーブ５を経由して昇降路１上部に取り付けられ、メインロープ３の他端部側はつり合いおもり６を支持するつり合いおもりシーブ７を経由して同様に昇降路１上部に取り付けられている。
【００１１】
図１において、８は乗りかご４内に設置されたファン、９−１，９−２はかご内の温度を計測する温度センサ、１０は乗りかご４のかごドア、２０は本実施の形態に係るかご換気制御装置の主要構成部分を有するエレベータ制御盤、１１は乗りかご４とエレベータ制御盤２０とを結ぶ供給電力を含む各種信号のやり取りを行うかご移動ケーブル（テールコードとも呼ぶ）である。
【００１２】
また、エレベータの各階乗場には、乗場ドア１２−１，１２−２，…及び乗場表示部１３−１，１３−２，…が設置されている。
【００１３】
乗りかご４内には図２に示すように、かご天井のファン８及び温度センサ９−１，９−２の他、かご操作盤１５が設置されている。温度センサとしては、１個でもよいが、乗りかご４内の平均温度を算出するとか、あるいは乗りかご４内の偏った温度分布を有する場合でもかご内温度を適切に把握できるようにするために２個以上設置することが望ましい。
【００１４】
かご操作盤１５には、階床ボタン１５ａ、開閉ボタン１５ｂ、スイッチボックス１５ｃが設けられている。スイッチボックス１５ｃには、点検用スイッチ（図示せず）の他、ファンスイッチ１５ｄが収納されている。
【００１５】
なお、ファンスイッチ１５ｄは、点検員が点検時にスイッチボックス１５ｃを開錠してスイッチオンするか、あるいはエレベータ制御盤２０側からオン指令信号を送出してオン状態に設定する構成である。
【００１６】
図３は本実施の形態に係るエレベータのかご換気制御装置の関連構成を示す図である。
【００１７】
かご換気制御装置の関連構成部分としては、乗りかご４側にファン８及び温度センサ９−１，９−２が設けられ、各階の乗場側には乗場表示部１３−ｉ（ｉ＝１，２，…）が設けられている。
【００１８】
さらに、エレベータ制御盤２０本体側には、ＲＯＭなどのプログラムデータ記憶部２１の他、各種の収集データや設定データ等を記憶するＲＡＭなどのデータベース２２が設けられている。
【００１９】
プログラムデータ記憶部２１には、従来から一般的に使用されている通常運転モード用プログラムの他、かご換気運転モード用プログラムが格納されている。
【００２０】
一方、データベース２２には、エレベータの運転状況データを格納する運転状況データエリア２２ａ、エレベータの各箇所に設置されるセンサのセンサデータを格納するセンサデータエリア２２ｂ、エレベータの運転診断に用いる判定用データを格納する判定用データエリア２２ｃの他、かご換気制御に関するデータを格納する設定データエリア２２ｄが設けられている。
【００２１】
設定データエリア２２ｄには、例えばかご内を換気する条件温度となる換気動作設定温度（例えば２５°）、ファンスイッチ１５ｄのオン・オフフラグデータ、換気時に文字表示する表示データ例えば「カンキウンテンチュウ（換気運転中）」などが格納される。
【００２２】
さらに、エレベータ制御盤２０側には、少なくとも通常運転モード用プログラムに従って運行制御する通常運行制御部２３及びかご換気運転モード用プログラムに従って運行制御するかご換気運転制御部２４が設けられている。
【００２３】
かご換気運転制御部２４は、通常運行制御部２３と連携しながらエレベータの運行制御を司るものであって、機能的には図４に示すように、エレベータの各階の運転待機中にかご内を換気する必要が有るか否かを判断する換気動作必要判断手段２４Ａ、換気動作が必要と判断されたとき、かご内を換気するかご換気制御手段２４Ｂ、換気状態表示手段２４Ｃ及び所定の停止条件のもとにかご内の換気を停止するかご換気停止手段２４Ｄが設けられている。
【００２４】
次に、以上のようなエレベータのかご換気制御装置の動作に先立ち、通常運行制御について簡単に説明する。
【００２５】
（１）  エレベータの通常運行制御について（図５参照）。
【００２６】
エレベータ制御盤２０の通常運行制御部２３は、従来から一般的に行われている通常運転モード用プログラムに従って通常運行制御を実行する。すなわち、通常運行制御部２３は、乗りかご４の各階運転停止中にかご呼びまたは乗場呼びによる呼び登録が有るか否かを判断する（Ｓ１）。
【００２７】
呼び登録があれば、通常運転モードによる運行制御に基づき、呼び登録階に向けて所望の走行速度パターンで乗りかご４を走行させ、当該目的階に着床した後にエレベータドアを開け、利用客の乗降を促す（Ｓ２）。
【００２８】
そして、新たな利用客が乗りかご４に乗ったとき、利用客によるかご呼びのもとに次の目的階に走行する。一方、利用客が乗りかご４から降りた結果、乗りかご４内に利用客が居なくなったとき、運行処理継続中であれば（Ｓ３）、ステップＳ１に戻って同様の処理を繰り返し実行する。
【００２９】
ところで、利用客が目的階で降りて乗りかご４内に利用客が居なくなった後、かご呼びまたは乗場呼びによる呼び登録の有無を判断するが（Ｓ１）、呼び登録無しと判断されたとき、運転停止中の状態が予め定める所定時間経過したか否かを判断する（Ｓ４）。所定時間を経過していない場合には繰り返し呼び登録の有無を判断する（Ｓ１）。
【００３０】
ここで、乗りかご４の運転停止中の状態が所定時間を経過すれば、乗りかご４内のファン８の回転動作を停止させ（Ｓ５）、エレベータが運転待機の状態に入り、かご換気運転モードを開始する。
【００３１】
（２）  かご換気運転制御部によるかご換気運行制御について（図６参照）。
【００３２】
エレベータ制御盤２０のかご換気運転制御部２４は、プログラムデータ記憶部２１に格納されるかご換気運転モード用プログラムに従って図６に示す一連の処理を実行する。
【００３３】
すなわち、かご換気運転制御部２４は、各階運転待機中に乗りかご４内を換気する必要が有るか否かを判断する換気動作必要判断手段２４Ａを実行する。
【００３４】
換気動作必要判断手段２４Ａは、データベース２２の設定データエリア２２ｄに設定されるフラグからファンスイッチ１５ｄがオン状態となっているかを判断する（Ｓ１１）。通常、エレベータの点検時、点検員がスイッチボックス１５ｃを開錠し、必要に応じてファンスイッチ１５ｄをオン状態にしたり、あるいは春から秋の間の一定期間中、例えば管理責任者などの操作のもとに、またはエレベータ制御盤２０から通常運転モード用プログラムに従って運転開始時にオン指令信号を出力し、ファンスイッチ１５ｄをオン状態に設定するとともに、例えば設定データエリア２２ｄにスイッチオンデータ「１」のフラグを設定する。
【００３５】
従って、換気動作必要判断手段２４Ａは、設定データエリア２２ｄに設定されるフラグからファンスイッチ１５ｄがオン状態に設定されていない場合、スイッチオン指令信号を送出してファンスイッチ１５ｄをオン状態とするとともに、設定データエリア２２ｄにフラグ「１」を設定する（Ｓ１２）。
【００３６】
しかして、換気動作必要判断手段２４Ａは、ステップＳ１１にてファンスイッチ１５ｄがオン状態となっているとき、またはオン状態となったとき、乗りかご４に設置される温度センサ９−１，９−２で計測されるかご温度を取り込む。そして、これら２つの温度センサ９−１，９−２で計測されたかご温度の平均温度、あるいは何れかの温度センサ９−１または９−２の計測温度が設定データエリア２２ｄ内の換気動作設定温度を超えているか否かを判断する（Ｓ１３）。換気動作設定温度を超えていない場合、ステップＳ１４に移行し、かご呼びや乗場呼びの呼び登録が有るか判断する。その結果、計測温度（かご内温度）が換気動作設定温度を超えておらず、かつ、呼び登録が無いとき、ステップＳ１３，Ｓ１４による処理を繰り返し実行する。
【００３７】
換気動作必要判断手段２４Ａは、ステップＳ１３において計測温度が換気動作設定温度を超えていると判断したとき、かご呼びや乗場呼びの呼び登録が有るか否かを判断する（Ｓ１５）。
【００３８】
そこで、ステップＳ１４、Ｓ１５の何れかで呼び登録有りと判断したとき、かご換気運転モードを中止し（Ｓ１６）、通常運転モードへ移行する（Ｓ１７）。
【００３９】
ところで、エレベータ制御盤２０のかご換気運転制御部２４は、ステップＳ１５において呼び登録が無いと判断したときには乗りかご４内の温度上昇に伴って換気が必要と判断したとき、かご換気制御手段２４Ｂを実行する。
【００４０】
かご換気制御手段２４Ｂは、運転待機中の状態にある乗りかご４を基準階（または１階）に向けて走行させ（Ｓ１８）、基準階に着床した後、エレベータドア（かごドア及び乗場ドア）を開く（Ｓ１９）。引き続き、乗りかご４内のファン８に対して回転動作制御信号を送出し、ファン８を回転動作させて乗りかご４内を換気する（Ｓ２０）。
【００４１】
このとき、各階乗場に乗場表示部１３−１，１３−２，…が設置されている場合、換気状態表示手段２４Ｃを実行する。この換気状態表示手段２４Ｃは、設定データエリア２２ｄに予め記憶される表示データを読み出し、乗場表示部１３−１，１３−２，…に表示する。表示データとしては、例えば「カンキウンテンチュウ」または「カンキウンテンチュウ（換気運転中）」の文字データを表示する（Ｓ２１）。
【００４２】
さらに、かご換気制御手段２４Ｂは、乗りかご４内の温度センサ９−１，９−２で計測されるかご内温度の平均温度、あるいは何れかの温度センサ９−１または９−２で計測されたかご内温度が設定データエリア２２ｄ内の換気動作設定温度以下になったか否かを判断する（Ｓ２２）。ここで、乗りかご４内の温度が未だ換気動作設定温度以下になっていない場合、再びかご呼び，乗場呼びによる呼び登録の有無を調べ（Ｓ２３）、呼び登録無しの場合にはステップＳ２０に戻り、ファン８によるかご内の換気を続ける。一方、ステップＳ２２において乗りかご４内の温度が換気動作設定温度以下になったとき、あるいはステップＳ２３において呼び登録有りと判断したとき、かご換気停止手段２４Ｄを実行する。
【００４３】
かご換気停止手段２４Ｄは、ファン８の回転動作を停止するとともに、乗場表示部１３−１，１３−２，…の換気中表示を消灯し（Ｓ２４）、エレベータドアを閉じた後（Ｓ２５）、通常運転モードへ移行する（Ｓ１７）
従って、以上のような実施の形態によれば、乗りかご４内に利用客が乗っていない運転待機中に乗りかご４内の温度センサ９−１，９−２で計測されたかご内温度を取り込み、乗りかご４内が蒸し暑いと感じる温度となったとき、自動的に乗りかご４を例えば基準階などに移動させた後、エレベータドアを開けてファン８を回転動作させて換気するので、乗りかご４内の温度を常に所定温度以下に確保でき、利用客が常に快適な環境状態でエレベータを利用することができる。
【００４４】
また、乗りかご４内に複数の温度センサ９−１，９−２を設置することにより、かご内が偏った温度分布を有する場合であっても、乗りかご４内の蒸し暑い状態を確実に検出できる。
【００４５】
また、ファン８による換気動作中に乗場表示部１３−１，…に換気中であることを表示するので、利用客や管理責任者に安心感を与えることができる。
【００４６】
さらに、かご換気運転モード中であっても、かご呼びや乗場呼びが発生すると、かご換気運転モードを中止して通常運転モードに移行し、速やかに利用客に対してサービスを提供することができる。
【００４７】
（その他の実施の形態）
（１）  上記実施の形態では、かご内を換気する際、乗りかご４を基準階または１階に着床させて行うようにしたが、例えば現在運転待機中の階でかご内換気を行うようにしてもよい。
【００４８】
（２）  また、上記実施の形態では、かご内を換気するための換気動作設定温を設け、かご内の温度が換気動作設定温度を超えたときにかご換気を行い、換気動作設定温度以下になったときに通常運転モードに移行するようにしたが、例えば２５°の換気動作設定温度（第１のしきい値）であれば、かご換気運転モードから通常運転モードに移行する際には通常運転移行温度（第２のしきい値）例えば２３°以下とする、いわゆる不感帯温度領域を設けることにより、エレベータの安定な運転動作を図るようにしてもよい。
【００４９】
（３）  さらに、上記実施の形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１…昇降路、２…巻上機、４…乗りかご、３…メインロープ、６…つり合いおもり、８…ファン、９−１，９−２…温度センサ、１０…かごドア、１１…かご移動ケーブル、１２−１，１２−２，…乗場ドア、１３−１，１３−２，…乗場表示部、１５…かご操作盤、１５ｄ…ファンスイッチ、２０…エレベータ制御盤、２２…データベース、２２ｄ…設定データエリア、２３…通常運行制御部、２４…かご換気運転制御部、２４Ａ…換気動作必要判断手段、２４Ｂ…かご換気制御手段、２３Ｃ…換気状態表示手段、２４Ｄ…かご換気停止手段。
【図１】
2013170032.tif 000003
【図２】
2013170032.tif 000004
【図３】
2013170032.tif 000005
【図４】
2013170032.tif 000006
【図５】
2013170032.tif 000007
【図６】
2013170032.tif 000008